(57)【特許請求の範囲】
【請求項１】
コンテンツを視聴したことによって、視聴前のユーザの気分が視聴後にどのような気分に変化したのかを評価した評価データを受信する評価データ受信手段と、
該受信した評価データを前記視聴されたコンテンツに多重する多重化手段と、
該評価データが多重されたコンテンツを送信するコンテンツ送信手段と、
を具備したコンテンツ提供装置と、
該コンテンツ提供装置から送信されたコンテンツを受信するコンテンツ受信手段と、
ユーザのコンテンツ視聴前の現実の気分およびコンテンツ視聴後に希望する気分を入力する入力手段と、
該入力されたコンテンツ視聴前後の気分と一致する前記評価データの多重されたコンテンツのリストを作成するコンテンツリスト作成手段と、
該コンテンツリストで提示されたコンテンツを視聴した結果の前記評価を前記入力手段で入力し、該入力された評価データを前記コンテンツ提供装置に送信する評価データ送信手段と、
を具備したユーザ端末装置と、
からなることを特徴とするコンテンツリスト表示システム。
【請求項２】
請求項１に記載のコンテンツリスト表示システムにおいて、
前記評価データ受信手段で受信した評価データを格納する評価データ格納手段と、
該格納手段に格納されている過去の評価データと前記評価データ受信手段で受信した新たな評価データとの平均値を取り、評価データを更新する評価データ更新手段と、
を具備し、前記多重される評価データを更新することを特徴とするコンテンツリスト表示システム。
【請求項３】
請求項２に記載のコンテンツリスト表示システムにおいて、
前記評価が前記入力手段で入力された回数をカウントするカウント手段を具備し、
前記コンテンツリスト作成手段で作成されたコンテンツリストを表示する際に、前記評価データの値を矢印の長さまたは矢印の傾きで表示し、また、前記カウント手段でカウントされた値を矢印の太さで表示することを特徴とするコンテンツリスト表示システム。
【発明の詳細な説明】
【０００１】
【発明の属する技術分野】
本発明は、放送などで番組情報を提供するサービス提供装置および受信装置、特に、ユーザの動的状態に応じたコンテンツリストを提供するコンテンツリスト表示方法に関する。
【０００２】
【従来の技術】
視聴者の気分に応じてコンテンツリストを提示するための受信端末装置に関し、以下のような従来例がある。
【０００３】
特開平１０−４２２３９号公報によれば、ユーザ自身の個人的状況にかかわる個人情報（年齢区分や性別、希望する気分）を入力することにより、ユーザ自身の状況にとって適性な番組案内画面を提示する方法が記載されている。特開平９−４６６８９号公報によれば、あらかじめつけられた作品評価ＤＢから個人嗜好に合致した作品をフィルタすることで、ユーザの嗜好に合った作品を適切に類推して提示する方法が記載されている。特開平１０−２４３３０９号公報によれば、番組情報と同時に送られてくる番組情報と視聴者の嗜好を比較、視聴者の嗜好に適合した番組を選択する方法が記載されている。
【０００４】
特開平１０−４２２３９号公報によれば、コンテンツの記述データの中に気分を表現する項目を設け、それらを用いることでユーザの気分に応じたコンテンツリストを提示する技術が記載されている。また、特開平６−１２４３０９号公報によればユーザの嗜好を気分毎に複数保持することにより、ユーザが入力した気分に応じてコンテンツリストを提供する技術が記載されている。
【０００５】
【発明が解決しようとする課題】
しかしながら、上述の特開平９−４６６８９号公報、特開平１０−２４３３０９号公報、特開平１０−４２２３９号公報の装置のように、コンテンツ全体に一時的な気分の評価情報を付加するだけではコンテンツ視聴前後の気分の変化に促したコンテンツリストを提示することが困難であるという問題を有している。また、特開平６−１２４３０９号公報の装置のようにユーザの嗜好を気分毎に複数保持するという方法では、ユーザが自らの嗜好情報を管理する手間やユーザに提供するコンテンツリストを作成する手間が大幅に増大してしまうという問題点を有している。
【０００６】
本発明は、そのような状況に鑑みてなされたもので、ユーザが視聴前の気分を入力することで視聴後に希望する気分に応じたコンテンツリストを容易に提示することができるようにするものである。
【０００７】
【課題を解決するための手段】
上記課題を解決するため、本発明は以下のような技術的手段を講じた。
【０００８】
即ち、第一の技術的手段は、コンテンツを視聴したことによって、視聴前のユーザの気分が視聴後にどのような気分に変化したのかを評価した評価データを受信する評価データ受信手段と、該受信した評価データを前記視聴されたコンテンツに多重する多重化手段と、該評価データが多重されたコンテンツを送信するコンテンツ送信手段と、を具備したコンテンツ提供装置と、該コンテンツ提供装置から送信されたコンテンツを受信するコンテンツ受信手段と、ユーザのコンテンツ視聴前の現実の気分およびコンテンツ視聴後に希望する気分を入力する入力手段と、該入力されたコンテンツ視聴前後の気分と一致する前記評価データの多重されたコンテンツのリストを作成するコンテンツリスト作成手段と、該コンテンツリストで提示されたコンテンツを視聴した結果の前記評価を前記入力手段で入力し、該入力された評価データを前記コンテンツ提供装置に送信する評価データ送信手段と、を具備したユーザ端末装置と、からなることを特徴とするコンテンツリスト表示システムである。
【０００９】
また、第二の技術的手段は、第一の技術的手段に加え、前記評価データ受信手段で受信した評価データを格納する評価データ格納手段と、該格納手段に格納されている過去の評価データと前記評価データ受信手段で受信した新たな評価データとの平均値を取り、評価データを更新する評価データ更新手段と、を具備し、前記多重される評価データを更新することを特徴とするコンテンツリスト表示システムである。
【００１０】
また、第三の技術的手段は、第二の技術的手段に加え、前記評価が前記入力手段で入力された回数をカウントするカウント手段を具備し、前記コンテンツリスト作成手段で作成されたコンテンツリストを表示する際に、前記評価データの値を矢印の長さまたは矢印の傾きで表示し、また、前記カウント手段でカウントされた値を矢印の太さで表示することを特徴とするコンテンツリスト表示システムである。
【００３３】
【発明の実施の形態】
以下、本発明に係るユーザの動的状態変化に応じたコンテンツリスト表示システムの実施の形態について、図面に基づき詳細に説明する。
〔実施の形態１〕
図１は、本発明の実施の形態１に係るコンテンツ提供装置とユーザ端末装置の構成を示すブロック図である。
【００３４】
図１において、コンテンツ提供装置２０は、ユーザ端末装置１０からの情報を随時受信する端末情報受信部２０１、前記端末情報受信部２０１で受信したデータのうちユーザの評価データを格納する評価データ格納部２０２、前記評価データからコンテンツ毎の視聴前、視聴後の気分に応じた評価値を求める評価データ集計部２０３、コンテンツ毎に付与されるメタデータを格納するメタデータ格納部２０５、前記評価データ部２０３の結果を前記メタデータ格納部に格納さえているメタデータに反映するメタデータ更新部２０４、コンテンツを格納しているコンテンツ格納部２０６、放送スケジュールの応じてコンテンツの選択を行うコンテンツ選択部２０７、前記メタデータとコンテンツを多重化する多重化部２０８、前記多重化されたコンテンツデータを送信するデータ送信部２０９からなる。
【００３５】
またユーザ端末装置１０は、ユーザの操作を入力する入力部１０１、メタデータに含まれる情報から番組に対するユーザの評価を作成する評価作成部１０２、前記ユーザの評価データをコンテンツ提供装置に送信する端末情報送信部１０３、コンテンツ提供装置２０からコンテンツおよびコンテンツに付随するメタデータを受信するデータ受信部１０４、前記受信したデータから、コンテンツとメタデータに分離する分離部１０５、前記メタデータを記録するメタデータ格納部１０６、前記コンテンツをある所定の条件に応じて記録するコンテンツ記録部１０８、前記記録したコンテンツを格納するコンテンツ格納部１０９、前記格納されたコンテンツを再生するコンテンツ再生部１１０、前記メタデータから視聴者の視聴前の気分、希望する視聴後の気分に応じたコンテンツリストを生成するリスト生成部１０７、前記コンテンツ映像とリスト画像を合成する合成部１１１、前記合成部の出力映像を表示する出力部１１２からなる。
【００３６】
図２は、前記コンテンツ提供装置２０とユーザ端末装置１０の接続関係を示す図である。１つのコンテンツ提供装置２０に複数のユーザ端末装置１０が接続されている。コンテンツ提供装置は、複数のユーザ端末装置から端末情報を受信し、コンテンツおよびメタデータを同時に複数のユーザ端末装置に配信している。
【００３７】
図３は、コンテンツ提供装置から送信されるメタデータの内容の一例を示した図である。
【００３８】
コンテンツ提供装置から送信される各コンテンツには、コンテンツを一意に識別できるＩＤが付与されている。３２は、前記ＩＤを示している。
【００３９】
＜番組情報  ＩＤ＝１２３４＞と＜／番組情報＞で囲まれた記述の部分が、コンテンツのＩＤが１２３４の番組情報であることを示している。
【００４０】
＜タイトル＞と＜／タイトル＞で囲まれた部分３１は、このコンテンツのタイトル名を示している。この例では、「コンテンツ１」がタイトル名である。
【００４１】
＜気分変化＞と＜／気分変化＞で囲まれた一連の記述が、一つの気分変化に対応した記述である。
【００４２】
＜コード＞と＜／コード＞で囲まれた部分３３が、気分変化のコードを示している。
【００４３】
ここで、気分変化のコード表を図４に示す。
【００４４】
視聴前の気分４１と希望する視聴後の気分４２で定義される気分変化のコード４３を示している。例えば、視聴前の気分が「哀」で、視聴後の気分を「楽」とする気分変化のコードは「３４」となる。特に希望する視聴後の気分を指定しない場合は、「全般」を指定するものとする。
【００４５】
図３の例において、気分変化のコード３３が「２０」であるため、後述する評価値が、「怒」から「全般」へ気分変化する際の値であることを示している。
【００４６】
＜評価値  カウント数＝○○○＞と＜／評価値＞で囲まれた部分３５が、前記気分変化の際の評価を示している。この例では、その値は「５０」である。
【００４７】
カウント数３４に記述されている数値は、評価値を算出する際に使用した評価データの数を示している。この例では、「１２３４５６」である。
【００４８】
同様に、別の気分変化の場合について説明する。
【００４９】
気分コード３６が「３４」の場合、つまり、視聴前の気分が「哀」で、視聴後の気分が「楽」の場合の評価値３８は「８０」で、カウント数３７は「１２３９８７」であることを示している。
【００５０】
図５は、コンテンツリストの表示例を示している。
【００５１】
視聴者は、入力デバイスを操作して、視聴前の気分５０１を選択する。この例では、「哀」５０３を選択している。選択された項目はハイライト表示される。その次に、視聴後の気分５０２を選択する。この例では、「楽」５０４を選択している。
【００５２】
視聴前の気分５０１および視聴後の気分５０２が選択されると、タイトル５０５と、評価値５０６に視聴者の気分変化に適合したコンテンツのリストが表示される。
【００５３】
この例では、タイトル「タイトル１」５０７が評価値「８０」５０８で表示されている。
【００５４】
コンテンツリストの作成方法については後で詳細に説明する。
【００５５】
図６は、コンテンツ提供装置２０の評価データ集計部２０３において、評価データを集計する手順を示している。
【００５６】
手順は以下の通りである。
【００５７】
ステップＳ６０１において、評価データ格納部２０２に格納されている評価データを１つ取得する。ステップＳ６０２において、評価データに含まれる、コンテンツのＩＤおよび気分コードが一致するデータ項目を選択し、そのデータ項目の評価値のＴｏｔａｌ値に評価データから取得した評価値を加算する。また対応するデータ項目のカウント数が１つ増やされる。使用した評価データは、削除されるか既読のフラグが付与され、再度使用されることがないようにする。ステップＳ６０３において、評価データ格納部２０２に格納されている評価データがまだあるかどうかが判定される。ステップＳ６０３において、評価データがある場合、ステップＳ６０１から繰返し、同様の処理がなされる。ステップＳ６０３において、評価データがない場合、ステップＳ６０４において、各コンテンツおよび各気分コード毎、評価値の平均値（＝（Ｔｏｔａｌ値）／（カウント数））が求められ、処理が終了する。
【００５８】
図７に、評価データの例を示す。
【００５９】
この評価データは、コンテンツＩＤ７０１が「１２３４」についての評価であることを示している。また、気分変化コード７０２が「２１」、つまり、視聴前の気分が「怒」、視聴後の気分が「喜」に対する評価で、評価値７０３が「８０」であることを示している。
【００６０】
図８は、評価データ作成時に用いられる、各コンテンツと各気分コード別に記録、計算されるデータの構造のテーブルを示している。このテーブルは、新しいコンテンツＩＤのデータが取得される毎に追加され、各気分コードごとの、Ｔｏｔａｌ値、カウント数、平均値のデータは０に初期化される。また、有効期限が切れた等で必要でなくなったと判断したコンテンツＩＤに関するデータは、削除される。
【００６１】
図１１は、コンテンツ提供装置２０のメタデータ更新部２０４において、メタデータを更新する際の手順を示している。手順は以下の通りである。
【００６２】
ステップＳ１１０１において、前述のテーブルから最初のコンテンツＩＤをセットする。ステップＳ１１０２において、該当するＩＤの最初の気分変化コードをセットする。ステップＳ１１０３において、送信するメタデータの対応する気分コードの評価値を評価データ集計部２０３で求めた評価値の平均値で置き換える。ステップＳ１１０４において、次の気分コードをセットする。ステップＳ１１０５において、気分コードが終了したかどうかが判定される。ステップＳ１１０５において、気分コードが終了していないなら、次の気分コードについて、同様に、評価値を更新するため、ステップＳ１１０３から繰返す。ステップＳ１１０５において、気分コードが終了したなら、ステップＳ１１０６において、テーブルに記録されている次のコンテンツＩＤをセットする。ステップＳ１１０７において、コンテンツのＩＤが終了したかどうかが判定される。もしステップＳ１１０７において、ＩＤが終了していなければ、ステップＳ１１０２から繰返される。ステップＳ１１０７において、ＩＤが終了したなら、メタデータ更新の処理は終了する。
【００６３】
図９は、ユーザ端末装置１０において、評価データを作成する際に表示される画面例を示している。前記したように、視聴者は、視聴前の気分および希望する視聴後の気分を選択し、そのときの気分に合ったコンテンツを表示し、コンテンツを選択、視聴する。次に、コンテンツの視聴後、あるいは、視聴中に所定の操作で、図９に示すコンテンツの評価を行う画面に遷移する。この図において、視聴前の気分９０１および視聴後の気分９０２は、コンテンツを選択した際に用いた気分コードは、デフォルトで設定されている。この例では、視聴前の気分が「哀」９０３、視聴後の気分が「楽」９０４が選択されている。視聴者は、入力デバイスを操作して、視聴前の気分９０１および視聴後の気分９０２を変更することもできる。前記気分変化のコードが確定した後、視聴者は、９０５の評価項目のひとつを選択する。この選択項目は、予めメタデータに記述されている。そのメタデータの例については後述する。
【００６４】
この例では、視聴者は視聴したコンテンツの評価として、「どちらかというとそう思う」９０６を選択した。コンテンツの評価を選択した後、「送信」ボタン９０７を選択すると、評価データがコンテンツ提供装置２０に送信される。「キャンセル」ボタン９０８が選択されると、送信の処理は行われず、評価画面から視聴画面に遷移する。
【００６５】
図１０は、メタデータに含まれる評価データに関する情報の例を示している。
【００６６】
このメタデータは、コンテンツＩＤ１００６が「１２３４」のコンテンツに関する情報であることを示している。１００１、１００２、１００３、１００４、１００５に示す＜評価＞と＜／評価＞で囲まれた一連の記述がそれぞれ一つの評価の選択項目を示している。＜評価タイトル  ＩＤ＝○＞と＜／評価タイトル＞で囲まれた部分１００７が、評価画面で表示される文字列を示している。＜評価値＞と＜／評価値＞で囲まれた部分１００８が、その評価が選択されたときの評価値を示している。この評価値が、評価データを作成するときに用いられる。図９に示した表示画面は、図１０に示すメタデータから作成できることは容易に想像がつく。
【００６７】
図１２は、ユーザ端末装置１０のリスト生成部１０７における、ユーザの気分変化に適合したコンテンツリストを表示する手順を示す。
【００６８】
手順は以下の通り。
【００６９】
ステップＳ１２０１において、メタデータ格納部１０６に格納されているメタデータから、番組情報を取得する。ステップＳ１２０２において、番組情報に含まれる気分変化の記述データを取得する。ステップＳ１２０３において、前記記述データに記載されている気分コードが、視聴者が設定した視聴前、視聴後の気分から定義される気分コードに一致するかどうか判定される。ステップＳ１２０３において、一致する場合、ステップＳ１２０４に進む。ステップＳ１２０３において、一致しない場合、ステップＳ１２０５に進む。ステップＳ１２０４において、その記述データ、すなわち、コンテンツＩＤ、タイトル、評価値等の情報が一時保存される。ステップＳ１２０５において、メタデータが終了かどうか判定される。ステップＳ１２０５において、メタデータが終了でない場合、ステップＳ１２０１から同様の処理を繰返す。ステップＳ１２０５において、メタデータが終了の場合、ステップＳ１２０６に進む。ステップＳ１２０６において、一時保存されているそれぞれの記述データを評価値の順で並び替える。
【００７０】
評価値の順で並び替えられたコンテンツリストは、合成部１１１を介して、出力部１１２で画面表示される。
【００７１】
図１３は、ユーザ端末装置１０の評価作成部１０２における、評価データを作成する手順を示す。手順は以下の通り。
【００７２】
ステップＳ１３０１において、視聴者が選択したコンテンツＩＤをセットする。ステップＳ１３０２において、視聴者が選択した気分変化のコードをセットする。ステップＳ１３０３において、ユーザが選択した評価値をセットする。たとえば、コンテンツＩＤが「１２３４」で、気分変化のコードが「２１」で、評価値が「８０」の場合、生成される評価データの例を図７に示す。
【００７３】
図１４は、ユーザ端末装置１０のコンテンツ記録部１０９において、ユーザの気分に適合したコンテンツを自動的に記録する際の手順を示す。手順は以下の通り。
【００７４】
ステップＳ１４０１において、設定された気分変化コードに一致する気分変化コードのメタデータを取得する。ステップＳ１４０２において、取得したデータの評価値が、あらかじめ視聴者が設定した値より大きいかどうかが判定される。ステップＳ１４０２において、評価値が設定値以上の場合、ステップＳ１４０３に進む。ステップＳ１４０２において、評価値が設定値に満たない場合、ステップＳ１４０５に進む。ステップＳ１０４３において、該当するコンテンツが既に録画済かどうかが判定される。すでに録画済の場合、ステップＳ１４０５に進む。録画済でない場合、ステップＳ１４０４に進む。ステップＳ１４０４において、コンテンツの放送開始時刻、放送時間などの情報から、録画の予約を行い。設定した時刻になると、コンテンツを録画し、コンテンツ格納部１０９に格納する。ステップＳ１４０５において、メタデータが終了かどうか判定され、データが終了していないなら、ステップＳ１４０１から同様の処理を繰返す。メタデータが終了したなら、本処理は終了する。
〔実施の形態２〕
図１５は、本発明の実施の形態２に係るコンテンツ提供装置２０とユーザ端末装置１０の構成を示すブロック図である。
【００７５】
以下では、実施の形態１との差異の部分のみ詳細に説明する。
【００７６】
ユーザ端末装置１０において、視聴者の操作履歴を格納する操作履歴格納部１１３、操作履歴より視聴者の視聴を自動的に生成するユーザ嗜好生成部１１４をさらに設けている。また、リスト生成部１０７は、視聴者の気分と嗜好に合ったコンテンツリストを生成する。
【００７７】
操作履歴格納部１１３には、視聴者がどのコンテンツをどれくらい視聴したかなどの情報とユーザ嗜好生成に必要なデータが格納されている。
【００７８】
図３１および図３２に、操作履歴格納部に格納される情報の例を示す。図３１において、記録される操作履歴の個数３１０１には上限があり、記録されている操作履歴が上限に達すると、一番過去に記録された操作履歴から削除され、新しい操作履歴が追加される。操作履歴は、視聴者がコンテンツを視聴したときに、コンテンツＩＤ３１０２と視聴時間３１０３の組で記録される。それと同時に、図３２に示すように、視聴したコンテンツに関する情報、すなわち、コンテンツＩＤ３２０１、放送開始時刻３２０２、放送時間３２０３、ジャンル３２０４、出演者３２０５、キーワード３２０６の情報をメタデータから取得し、別途記録する。
【００７９】
ユーザ嗜好生成１１４では、前記視聴者の視聴情報を基にユーザの嗜好データを自動的に生成する。その手順について後で詳細に説明する。
【００８０】
図２９に、ユーザ端末装置１０のユーザ嗜好生成部１１４におけるユーザ嗜好データの生成手順を示す。手順は以下の通り。
【００８１】
ステップＳ２９０１において、操作履歴格納部１１３に格納されている操作履歴を１つ取得する。ステップＳ２９０２において、視聴時間が所定の時間より長いかどうかが判定される。
【００８２】
ここで、所定の時間として、
（所定の時間）＝（放送時間）／  ２
で求められる値を用いる。
【００８３】
所定の時間より長い場合は、ステップＳ２９０３に進む、所定の時間より短い場合は、ステップＳ２９０７に進む。ステップＳ２９０３において、放送開始時刻の重み付けを更新する。放送開始時刻の重み付けを更新する方法として、以下の手順に従う。
・放送開始時刻を３０分単位のブロックに分割する。
・視聴したコンテンツの放送開始時刻に相当する前記ブロックのポイントをαだけ加算する。
・すべてのブロックのポイントを合計すると１になるように各ブロックのポイントを正規化する。
【００８４】
ここでαは、固定値であっても良いし、時間と共に減少する値であっても良い。
【００８５】
次にステップＳ２９０４において、ジャンルの重み付けを更新する。その方法として、以下の手順に従う。
・各ジャンル毎にブロックに分割する。
・視聴したコンテンツのジャンルに相当する前記ブロックのポイントをαだけ加算する。
・すべてのブロックのポイントを合計すると１になるように各ブロックのポイントを正規化する。
【００８６】
ここでαは、固定値であっても良いし、時間と共に減少する値であっても良い。
【００８７】
次にステップＳ２９０５において、出演者の重み付けを更新する。その方法として、以下の手順に従う。
・出演者毎にブロックに分割する。
・視聴したコンテンツに含まれる出演者に相当する前記ブロックのポイントをαだけ加算する。新規の場合は、ブロックを追加する。
・すべてのブロックのポイントを合計すると１になるように各ブロックのポイントを正規化する
ここでαは、固定値であっても良いし、時間と共に減少する値であっても良い。
【００８８】
次にステップＳ２９０６において、キーワードの重み付けを更新する。その方法として、以下の手順に従う。
・キーワード毎にブロックに分割する。
・視聴したコンテンツに含まれるキーワードに相当する前記ブロックのポイントをαだけ加算する。新規の場合は、ブロックを追加する。
・すべてのブロックのポイントを合計すると１になるように各ブロックのポイントを正規化する。
【００８９】
ここでαは、固定値であっても良いし、時間と共に減少する値であっても良い。
【００９０】
なお、ユーザ嗜好生成に一度使用した操作履歴は、操作履歴格納部１１３から削除される。
【００９１】
ステップＳ２９０７において、操作履歴格納部１１３に格納されている操作履歴が終了したかどうかが判定される。操作履歴がまだある場合、ステップＳ２９０１から同様の処理を繰返す。操作履歴が終了した場合は、本処理を終了する。
図３０は、ユーザ端末装置１０のリスト生成部１０７における、ユーザの気分変化および嗜好に適合したコンテンツリストを表示する手順を示す。
手順は以下の通り。
【００９２】
ステップＳ３００１において、メタデータ格納部１０６に格納されているメタデータから、番組情報を取得する。ステップＳ３００２において、番組情報に含まれる気分変化の記述データを取得する。ステップＳ３００３において、前記記述データに記載されている気分コードが、視聴者が設定した視聴前、視聴後の気分から定義される気分コードに一致するかどうか判定される。ステップＳ３００３において、一致する場合、ステップＳ３３０４に進む。ステップＳ３３０３において、一致しない場合、ステップＳ３３０５に進む。ステップＳ３３０４において、その記述データ、すなわち、コンテンツＩＤ、タイトル、評価値等の情報が一時保存される。ステップＳ３３０５において、メタデータが終了かどうか判定される。ステップＳ３３０５において、メタデータが終了でない場合、ステップＳ３３０１から同様の処理を繰返す。ステップＳ３３０５において、メタデータが終了の場合、ステップＳ３３０６に進む。
【００９３】
ステップＳ３３０６において、一時保存されているそれぞれの記述データを評価値に対して、次式により、嗜好データの重み付けが乗算され、新しい評価値が求められ、一時保存される。
（新しい評価値）＝（評価値）×ＭＡＸ｛（放送開始時間の重み付け）×Ｋ１，（ジャンルの重み付け）×Ｋ２，（出演者の重み付け）×Ｋ３，（キーワードの重み付け）×Ｋ４｝
ここで  ＭＡＸ｛Ａ，Ｂ，・・・｝の演算子は、値Ａ，Ｂ，・・・のうち最も値の大きいものを求めるという意味である。また、Ｋ１，Ｋ２，Ｋ３，Ｋ４は、それぞれの重み付けを補正する係数である。
【００９４】
ステップＳ３３０７において、一時保存されているそれぞれの記述データを評価値の順で並び替える。評価値の順で並び替えられたコンテンツリストは、合成部１１１を介して、出力部１１２で画面表示される。
〔実施の形態３〕
図１６は、本発明の実施の形態３に係る評価集計装置２０、コンテンツ提供装置３０およびユーザ端末装置１０の構成を示すブロック図である。
【００９５】
図１６において、評価集計装置２０は、ユーザ端末装置１０からの情報を随時受信する端末情報受信部２０１、前記端末情報受信部２０１で受信したデータのうちユーザの評価データを格納する評価データ格納部２０２、前記評価データからコンテンツ毎の視聴前、視聴後の気分に応じた評価値を求める評価データ集計部２０３、コンテンツ毎に付与されるメタデータを格納するメタデータ格納部２０５、前記評価データ部２０３の結果を前記メタデータ格納部に格納さえているメタデータに反映するメタデータ更新部２０４、前記メタデータを送信するデータ送信部２０９からなる。
【００９６】
コンテンツ提供装置３０は、ユーザ端末装置１０からコンテンツのリクエストを受信するリクエスト受信部３０１、コンテンツを格納しているコンテンツ格納部３０３、前記リクエストに対応したコンテンツの選択を行うコンテンツ選択部３０２、前記コンテンツを送信するコンテンツ送信部３０４からなる。
【００９７】
またユーザ端末装置１０は、ユーザの操作を入力する入力部１０１、メタデータに含まれる情報から番組に対するユーザの評価を作成する評価作成部１０２、前記ユーザの評価データをコンテンツ提供装置に送信する端末情報送信部１０３、評価集計装置２０からメタデータを受信するデータ受信部１０４、前記メタデータを記録するメタデータ格納部１０６、コンテンツ提供装置からコンテンツを受信するコンテンツ受信部１１５、前記コンテンツを記録するコンテンツ記録部１０８、前記記録したコンテンツを格納するコンテンツ格納部１０９、前記格納されたコンテンツを再生するコンテンツ再生部１１０、視聴者の操作履歴を格納する操作履歴格納部１１３、前記操作履歴からユーザ嗜好データを自動的に生成するユーザ嗜好生成部１１４、前記メタデータから視聴者の視聴前の気分、希望する視聴後の気分およびユーザの嗜好に応じたコンテンツリストを生成するリスト生成部１０７、前記コンテンツ映像とコンテンツリスト画像を合成する合成部１１１、前記合成部の出力映像を表示する出力部１１２からなる。
【００９８】
図３３は、ユーザ端末装置１０、評価集計装置２０およびコンテンツ提供装置３０の接続関係を示した。
【００９９】
以下では、実施の形態１および実施の形態２との相違部分のみを詳細に説明する。
【０１００】
図３４は、メタデータに含まれるコンテンツに関する記述の例を示す。
【０１０１】
この図において、ＩＤ３４０１はコンテンツを一意に識別する識別子を示している。タイトル３４０２は、このコンテンツのタイトルで、この例では「タイトル１」を示している。コンテンツＵＲＬ３４０３は、コンテンツの所在場所の情報を示している。再生時間３４０４は、コンテンツの再生時間を示している。ジャンル３４０５、出演者３４０６、キーワード３４０７は前述の通りである。
実施の形態１および実施の形態２で述べたように、リスト生成部１０７において、ユーザの視聴前の気分と希望する視聴後の気分、および嗜好に応じたコンテンツのリストが生成される。
【０１０２】
コンテンツリスト画面を見ながら、視聴者の操作により特定のコンテンツが選択されると、そのコンテンツに対応するメタデータから、コンテンツの所在場所、すなわち、コンテンツＵＲＬ３４０３が抽出され、リクエスト送信部１０５へ送られる。リクエスト送信部１０５において、コンテンツＵＲＬを解析し、コンテンツＵＲＬやコンテンツＩＤなどコンテンツ取得に必要な情報をコンテンツ提供装置に送信する。
【０１０３】
コンテンツ提供装置３０において、リクエスト受信部３０１は、ユーザ端末装置からのコンテンツのリクエスト情報を受信する。コンテンツ選択部３０２は、コンテンツが格納されているコンテンツ格納部３０３より、リクエストに対応したコンテンツを選択し、コンテンツ送信部３０４に送る。コンテンツ送信部３０４は、ユーザ端末装置にコンテンツデータを送信する。
（実施の形態４）
図１７は、本発明の実施の形態４に係るユーザ端末装置１０および個人端末装置４０の構成を示すブロック図である。
【０１０４】
実施の形態４は、実施の形態２において、個人端末装置４０が追加された形態である。従って、以下の説明では、実施の形態２との差異の部分についてのみ詳細に説明する。
【０１０５】
ユーザ端末装置１０において、個人情報受信部１０１は、個人端末装置４０からの情報を受信する。利用者情報格納部１１３は、前記受信した情報を格納する。利用者識別部１１４は、前記利用者情報から利用者を識別し、利用者に応じた嗜好データを生成する。リスト生成部１０７は、利用者識別部利用者の嗜好に応じたコンテンツリスト表示を行う。
【０１０６】
個人端末装置４０において、入力部４０１は、ユーザの操作を入力デバイスなどを用いてする。個人情報格納部４０３は、個人の嗜好情報などの個人情報を格納する。個人情報送信部４０２は、ユーザの操作や個人情報をユーザ端末装置１０に送信する。
【０１０７】
図３７に、個人情報格納部４０３に格納されている個人情報の例を示す。
【０１０８】
この例では、ユーザを識別する名前などのユーザＩＤ３７０１は「Ｓａｋａｍｏｔｏ  Ｋｅｎｊｉ」、性別３７０２は「男性」、年齢を表す年代３７０３は「４０代」、居住地３７０４は「千葉県」、良く見る番組の放送時間帯３７０５は、２０：００（０．３）、２１：００（０．５）、２２：００（０．２）である。
【０１０９】
ここで、括弧内の値は、その確率である。以下同様。
【０１１０】
また、好きな番組のジャンル３７０６は、ドラマ（０．６）、コメディ（０．２）、音楽（０．２）、好きな出演者３７０７は、深田今日子（０．８）、鈴木今日香（０．２）、好きなキーワード３７０８は、おしゃれ（０．４）、ファッション（０．２）、映画（０．２）、グルメ（０．２）である。
【０１１１】
図３８は、ユーザ端末装置１０の利用者情報格納部１１３に格納されている個人情報の例を示している。ここでは、Ａさん、Ｂさん、Ｃさんの３人の個人情報がある。
【０１１２】
図３９は、個人端末装置４０から個人情報を受信して、利用者情報格納部１１３に個人情報を格納するまでの手順を示す。手順は以下の通り。
【０１１３】
ステップＳ３９０１において、個人端末装置４０から個人情報を受信する。ステップＳ３９０２において、前記受信した個人情報のユーザＩＤとすでに利用者情報格納部１１３に格納されている個人情報群の中のユーザＩＤと一致するかどうか調べる。ステップＳ３９０３において、一致していればステップＳ３９０４に進み、一致していなければステップＳ３９０５に進む。ステップＳ３９０４において、すでに格納されているユーザＩＤが一致する個人情報のデータを前記受信した個人情報のデータで置き換える。ステップＳ３９０５において、前記受信した個人情報を新規に追加登録する。以上で本処理を終了する。
【０１１４】
個人端末装置４０において、入力部４０１から視聴者の操作を入力すると、個人情報格納部４０３に登録されているユーザＩＤと前記入力部４０１から入力された操作情報が同時に、個人情報送信部４０２からユーザ端末装置１０に送信される。
【０１１５】
ユーザ端末装置１０の利用者識別部１１４において、前記ユーザＩＤを基に、利用者を識別し、利用者を特定する。リスト生成部１０７において、前記特定された個人情報を用いることで、利用者の嗜好や気分に適合したリストを生成することができる。
【０１１６】
リストの生成方法についてはすでに実施の形態２で説明した。
（実施の形態５）
図１８は、本発明の実施の形態５に係るユーザ端末装置１０および個人端末装置４０の構成を示すブロック図である。
【０１１７】
本実施の形態は、実施の形態３に個人端末装置４０を追加した形態である。
【０１１８】
以下の説明では、実施の形態３との差異の部分についてのみ詳細に説明する。
【０１１９】
ユーザ端末装置１０において、個人情報受信部１０１は、個人端末装置４０からの情報を受信する。利用者情報格納部１１３は、前記受信した情報を格納する。利用者識別部１１４は、前記利用者情報から利用者を識別し、利用者に応じた嗜好データを生成する。リスト生成部１０７は、利用者識別部利用者の嗜好に応じたコンテンツリスト表示を行う。
【０１２０】
個人端末装置４０において、入力部４０１は、ユーザの操作を入力デバイスなどを用いてする。個人情報格納部４０３は、個人の嗜好情報などの個人情報を格納する。個人情報送信部４０２は、ユーザの操作や個人情報をユーザ端末装置１０に送信する。
【０１２１】
個人情報格納部４０３に格納されている個人情報の構造、利用者情報格納部１１３における処理手順、利用者識別部１１４における処理手順、リスト生成部１０７における処理手順は実施の形態４で説明してあり、ここでは省略する。
（実施の形態６）
図１９は、本発明の実施の形態６に係るコンテンツ提供装置２０を示すブロック図である。
【０１２２】
本実施の形態は、実施の形態１において、コンテンツ提供装置２０に、個人情報格納部２１０およびグループ計算部２１１を追加した形態である。
【０１２３】
以下の説明では、実施の形態１との差異の部分についてのみ詳細に説明する。コンテンツ提供装置２０において、端末情報受信部２０１は、ユーザ端末装置１０から個人情報を含む情報を受信する。個人情報格納部２１０は、前記受信した個人情報を格納する。グループ計算部２１１は、前記個人情報格納部２１０に格納されている個人情報に基づき、各個人をグループ分けする。評価データ集計部２０３は、前記グループ分けされたグループ単位に評価データを集計する。メタデータ更新部２０４は、前記グループ分けされた評価結果を、グループ単位ごとメタデータの更新を行う。
【０１２４】
図２７に、グループ分けされたメタデータの例を示す。
【０１２５】
＜個人情報＞と＜／個人情報＞で囲まれた一連の記述データがそれぞれのグループに対応する。例えば、２７０１の場合は、キーワード２７０３として、「音楽」、「映画」が設定されており、音楽や映画に興味を持つ人向けのデータであることを意味している。また、２７０２の場合は、キーワード２７０７として、「スポーツ」、「アウトドア」が設定されており、スポーツやアウトドアに興味を持つ人向けのデータであることを意味している。
【０１２６】
当然ながら、趣味嗜好が違えば、同じコンテンツを同じ気分で見ても感じ方が違うため、それぞれの評価値も「８０」２７０６と「７０」２７０８で異なる。
【０１２７】
ユーザ端末装置１０において、ユーザ嗜好に対応した所望のデータを取得し、視聴者の嗜好および気分に最適なリスト表示できることは容易に想像がつく。
（実施の形態７）
図２０は、本発明の実施の形態７に係るユーザ端末装置１０を示すブロック図である。
【０１２８】
本実施の形態は、実施の形態１において、ユーザ端末装置１０に、ユーザ嗜好生成部１１６を追加した形態である。
【０１２９】
以下の説明では、実施の形態１との差異の部分についてのみ詳細に説明する。
【０１３０】
ユーザ端末装置１０において、ユーザ嗜好生成部１１６は、ユーザの視聴前および視聴後の気分とコンテンツの評価結果からユーザの嗜好を自動的に生成する。
【０１３１】
以下にユーザの嗜好を求める手法について説明する。
【０１３２】
図４０に、気分変化コードとポイントの例を示す。
【０１３３】
ここでポイントとは、ある特定の気分変化コードのコンテンツを視聴後、評価においてユーザが選択した評価値を累積したものである。ただし、ポイントが上限に達した場合は、一律に定数を減算するか、一律に定数（１未満の値）を乗算するものとする。
【０１３４】
これにより、ユーザがどの気分変化のときにコンテンツを良く視聴するかの傾向が得られる。これをユーザ嗜好とすれば、前記ポイントが気分変化コードに対応するコンテンツを自動録画したり、視聴者が視聴前の気分を入力しただけで、視聴者の視聴後の気分に応じたコンテンツのリスト表示ができることは容易に想像が付く。
（実施の形態８）
図３５は、本発明の実施の形態８に係るユーザ端末装置１０を示すブロック図である。
【０１３５】
本実施の形態は、実施の形態７において、ユーザ端末装置１０に、端末情報送信部１０３の代わりに評価格納部１１７を設け、新たに感情入力部１１８を追加した形態である。
【０１３６】
以下の説明では、実施の形態７との差異の部分についてのみ詳細に説明する。
【０１３７】
ユーザ端末装置１０において、評価格納部１１７は、評価作成部１０２で作成された評価データを格納する。感情入力部１１８は、ユーザの体温、心拍数、発汗度合などの感情情報を力する。
【０１３８】
リスト生成部１０７は、前記ユーザの感情情報と前記ユーザ嗜好生成部１１６で生成される気分変化の傾向情報からユーザの気分に適合したコンテンツリストを表示する。
（実施の形態９）
図３６は、本発明の実施の形態９に係るユーザ端末装置１０および個人端末装置４０を示すブロック図である。
【０１３９】
本実施の形態は、実施の形態１において、ユーザ端末装置１０に個人情報受信部１０１と嗜好送信部１１７を追加し、個人端末装置４０に嗜好受信部４０４を追加した形態である。
【０１４０】
以下の説明では、実施の形態１との差異の部分についてのみ詳細に説明する。
【０１４１】
ユーザ端末装置１０において、個人情報受信部１０１は個人端末装置４０より、個人情報を受信し、利用者情報格納部１１３に格納する。ユーザ嗜好生成部１１４は、利用者情報格納部１１３に格納されている個人情報を基に、視聴者が視聴したコンテンツの、放送時間帯、ジャンル、出演者、キーワード等の情報を嗜好データに反映し、更新する。嗜好送信部１１７は、前記更新された嗜好データを個人端末装置４０に送信する。個人端末装置４０において、嗜好受信部４０４は、ユーザ端末装置１０から送信されてくる嗜好データを受信し、個人情報格納部４０３に格納する。
【０１４２】
図２１に、ユーザ端末装置１０と個人端末装置４０との処理手順の関係を示す。
【０１４３】
ステップ２１０１において、個人端末装置４０から端末情報および個人情報を送信する。ステップ２１１１において、ユーザ端末装置１０にてコンテンツリストが表示される。ステップＳ２１０２において、個人端末装置４０にてコンテンツを選択する操作を送信する。ステップＳ２１１２において、コンテンツが再生され、視聴者がコンテンツを視聴する。ステップＳ２１０３において、コンテンツの評価を選択する操作を送信する。ステップＳ２１１３において、ユーザ嗜好が更新される。ステップＳ２１１４において、前記ユーザ嗜好が個人端末装置４０に送信される。ステップＳ２１０４において、受信したユーザ嗜好データを個人情報格納部４０３に格納する。
（実施の形態１０）
図２２は、本発明の実施の形態１０に係るユーザ端末装置１０における表示方法の例である。
【０１４４】
本実施の形態は、実施の形態１において、リスト生成部１０７の表示方法を変更したものである。以下の説明では、実施の形態１との差異の部分についてのみ詳細に説明する。
【０１４５】
この図において、評価値２２０６は、数値ではなく、矢印の長さと太さで表現したものである。
【０１４６】
図２３に、評価値と矢印の長さの関係を示す。長さの単位は、表示画面の大きさに合わせて適当に調整する。
【０１４７】
図２４に、カウント数と矢印の太さとの関係を示す。太さの単位は、表示画面の大きさに合わせて適当に調整する。
【０１４８】
図２５は、別の表示方法の例である。
【０１４９】
この図において、評価値２５０６は、矢印の傾きと太さで表現している。
【０１５０】
図２６に、評価値と矢印の傾きとの関係を示す。矢印の太さについては前述したのと同様である。
【０１５１】
【発明の効果】
本発明によれば、コンテンツ視聴前の気分とコンテンツ視聴後の希望する気分によりコンテンツを特定するため、ユーザの気分に適合したコンテンツを提供することができる。
【０１５２】
また、評価値や評価のカウント数を矢印で表示することで、直感的に認識することができる。
【図面の簡単な説明】
【図１】本発明における一実施の形態の構成を表すブロック図である。
【図２】ユーザ端末装置とコンテンツ提供装置の接続関係を示す図である。
【図３】気分変化情報を含むメタデータの例である。
【図４】気分変化コードの例である。
【図５】コンテンツリスト表示例である。
【図６】評価データ作成手順である。
【図７】評価データの例である。
【図８】評価データ集計結果の例である。
【図９】評価画面例である。
【図１０】メタデータに含まれる評価データの例である。
【図１１】メタデータ更新手順である。
【図１２】コンテンツリスト作成手順である。
【図１３】評価作成手順である。
【図１４】自動録画判定手順である。
【図１５】本発明における一実施の形態の構成を表すブロック図である。
【図１６】本発明における一実施の形態の構成を表すブロック図である。
【図１７】本発明における一実施の形態の構成を表すブロック図である。
【図１８】本発明における一実施の形態の構成を表すブロック図である。
【図１９】本発明における一実施の形態の構成を表すブロック図である。
【図２０】本発明における一実施の形態の構成を表すブロック図である。
【図２１】ユーザ端末装置と個人端末装置との通信プロトコルである。
【図２２】コンテンツリスト表示例である。
【図２３】評価値と長さとの関係を示す図である。
【図２４】カウント数と太さとの関係を示す図である。
【図２５】コンテンツリスト表示例である。
【図２６】評価値と傾きとの関係を示す図である。
【図２７】グループ分けされたメタデータの例である。
【図２８】番組情報に関するメタデータの例である。
【図２９】ユーザ嗜好生成手順である。
【図３０】コンテンツリスト作成手順である。
【図３１】視聴履歴の例である。
【図３２】コンテンツ情報の例である。
【図３３】ユーザ端末装置、評価集計装置およびコンテンツ提供装置の接続図である。
【図３４】コンテンツ情報を含むメタデータの例である。
【図３５】本発明における一実施の形態の構成を表すブロック図である。
【図３６】本発明における一実施の形態の構成を表すブロック図である。
【図３７】個人情報データの例である。
【図３８】利用者情報格納部に格納される個人情報データの例である。
【図３９】利用者情報手順である。
【図４０】気分変化コードとポイントの関係を示す図である。
【符号の説明】
１０  ユーザ端末装置
２０コンテンツ提供装置
１０１入力部
１０２評価作成部
１０３端末情報送信部
１０４データ受信部
１０５分離部
１０６メタデータ格納部
１０７リスト生成部
１０８コンテンツ記録部
１０９コンテンツ格納部
１１０コンテンツ再生部
１１１合成部
１１２出力部
２０１端末情報受信部
２０２評価データ格納部
２０３評価データ集計部
２０４メタデータ更新部
２０５メタデータ格納部
２０６コンテンツ格納部
２０７コンテンツ選択部
２０８多重化部
２０９データ送信部
【図１】
0003793462.tif 000002
【図２】
0003793462.tif 000003
【図３】
0003793462.tif 000004
【図４】
0003793462.tif 000005
【図５】
0003793462.tif 000006
【図６】
0003793462.tif 000007
【図７】
0003793462.tif 000008
【図８】
0003793462.tif 000009
【図９】
0003793462.tif 000010
【図１０】
0003793462.tif 000011
【図１１】
0003793462.tif 000012
【図１２】
0003793462.tif 000013
【図１３】
0003793462.tif 000014
【図１４】
0003793462.tif 000015
【図１５】
0003793462.tif 000016
【図１６】
0003793462.tif 000017
【図１７】
0003793462.tif 000018
【図１８】
0003793462.tif 000019
【図１９】
0003793462.tif 000020
【図２０】
0003793462.tif 000021
【図２１】
0003793462.tif 000022
【図２２】
0003793462.tif 000023
【図２３】
0003793462.tif 000024
【図２４】
0003793462.tif 000025
【図２５】
0003793462.tif 000026
【図２６】
0003793462.tif 000027
【図２７】
0003793462.tif 000028
【図２８】
0003793462.tif 000029
【図２９】
0003793462.tif 000030
【図３０】
0003793462.tif 000031
【図３１】
0003793462.tif 000032
【図３２】
0003793462.tif 000033
【図３３】
0003793462.tif 000034
【図３４】
0003793462.tif 000035
【図３５】
0003793462.tif 000036
【図３６】
0003793462.tif 000037
【図３７】
0003793462.tif 000038
【図３８】
0003793462.tif 000039
【図３９】
0003793462.tif 000040
【図４０】
0003793462.tif 000041